(57)【要約】【目的】アナログ放送とディジタル放送がサイマルキャストで同一番組を放送している場合において、ユーザには極力ディジタル放送番組の視聴を促すことができる放送受信装置を提供する。【構成】アナログ放送を受信するアナログチューナ２Ａ及びディジタル放送を受信するディジタルチューナ２Ｂを備える。ＥＰＧデコーダ１８はアナログ放送におけるＥＰＧデータを抽出し、デマルチプレクサ５はディジタル放送におけるＥＰＧデータを抽出する。ＣＰＵ１３は各々のＥＰＧデータを受け取り、アナログ放送とディジタル放送が同一番組を放送しているかどうか（サイマルキャストの有無）を判断する。そして、ＣＰＵ１３は、サイマルキャストのアナログ放送の受信時には、ディジタル放送で同一番組が放送されている旨のメッセージをＯＳＤ回路１５により生成させて画面（ＣＲＴ１０）に表示させる。【選択図】                図１
2004179718.tif 000002
【特許請求の範囲】
【請求項１】
アナログ放送を受信するアナログ放送受信部と、ディジタル放送を受信するディジタル放送受信部と、アナログ放送とディジタル放送が同一番組を放送しているかどうかに関する情報を取得してサイマルキャストの有無を判断する手段と、サイマルキャストのアナログ放送を受信しているときにディジタル放送で同一番組が放送されている旨のメッセージを画面に表示する手段と、を備えたことを特徴とする放送受信装置。
【請求項２】
請求項１に記載の放送受信装置において、前記メッセージが表示されている状態で所定のキーが操作されたときには、サイマルキャストのディジタル放送を受信するように構成されたことを特徴とする放送受信装置。
【請求項３】
アナログ放送を受信するアナログ放送受信部と、ディジタル放送を受信するディジタル放送受信部と、アナログ放送とディジタル放送が同一番組を放送しているかどうかに関する情報を取得してサイマルキャストの有無を判断する手段と、サイマルキャストのアナログ放送を受信しているときに所定のキーが操作されたときにはサイマルキャストのディジタル放送受信に切り替える手段と、を備えたことを特徴とする放送受信装置。
【請求項４】
チャンネルＵＰ／ＤＯＷＮキーを備えてチャンネル変更が行なえるように構成された放送受信装置において、アナログ放送を受信するアナログ放送受信部と、ディジタル放送を受信するディジタル放送受信部と、アナログ放送とディジタル放送が同一番組を放送しているかどうかに関する情報を取得してサイマルキャストの有無を判断する手段と、内部時計に基づき現在時刻でサイマルキャストのアナログ放送を行なっているアナログチャンネルについては前記チャンネルＵＰ／ＤＯＷＮキーにおけるリストから消去する手段と、を備えたことを特徴とする放送受信装置。
【発明の詳細な説明】
【０００１】
【産業上の利用分野】
この発明は、ディジタル放送及びアナログ放送の両方を受信することができる放送受信装置に関する。
【０００２】
【従来の技術】
衛星や地上波を用いたディジタル放送を受信するディジタル放送受信装置は、専用のアンテナや地上波用アンテナを通して受け取った複数の放送波のなかから任意の放送波をチューナによって選択し、この選択した放送波に含まれる複数のチャンネルのなかから任意のチャンネルをデマルチプレクス処理によって選択し、この選択したチャンネルのディジタル信号を取り出し、これをデコードすることによって映像・音声信号を出力する。
【０００３】
ところで、例えば、地上ディジタル放送と地上アナログ放送で放送事業者は同じ番組を放送するサイマルキャストを採用することが多くなると思われる。この場合において、地上ディジタル放送ではＳＤ（Ｓｔａｎｄａｒｄ  Ｄｅｆｉｎｉｔｉｏｎ  Ｔｅｌｅｖｉｓｉｏｎ）やＨＤ（Ｈｉｇｈ  Ｄｅｆｉｎｉｔｉｏｎ  Ｔｅｌｅｖｉｓｉｏｎ）により放送を行うといったことが考えられ、一般にアナログ放送よりもディジタル放送の方が高画質で番組を見ることができる。なお、アナログ放送とディジタル放送がサイマルキャストで同一番組を放送している場合において、ディジタル放送の視聴中に受信レベルが所定レベルを下回ったときに自動的にアナログ放送の受信に切り換わるものがある（特許文献１参照）。
【０００４】
【特許文献１】
特開２００１−２１１１２６号公報
【０００５】
【発明が解決しようとする課題】
しかしながら、このようにディジタル放送波とアナログ放送の両方を受信できる構成とした場合において、現在受信しているアナログ放送番組と同一番組がディジタル放送において放送されており、それをユーザは知らずに低画質のアナログ放送番組を見続けてしまう可能性がある。特に、このような事態は、ＥＰＧ画面によらずに、チャンネルを次々と変えながら視聴することが行なわれた場合に生じ易い。
【０００６】
この発明は、上記の事情に鑑み、アナログ放送とディジタル放送がサイマルキャストで同一番組を放送している場合において、ユーザには極力ディジタル放送番組の視聴を促すことができる放送受信装置を提供することを目的とする。
【０００７】
【課題を解決するための手段】
この発明の放送受信装置は、上記の課題を解決するために、アナログ放送を受信するアナログ放送受信部と、ディジタル放送を受信するディジタル放送受信部と、アナログ放送とディジタル放送が同一番組を放送しているかどうかに関する情報を取得してサイマルキャストの有無を判断する手段と、サイマルキャストのアナログ放送を受信しているときにディジタル放送で同一番組が放送されている旨のメッセージを画面に表示する手段と、を備えたことを特徴とする。
【０００８】
上記の構成であれば、サイマルキャストのアナログ放送を受信しているときにディジタル放送で同一番組が放送されている旨のメッセージが画面に表示されるので、サイマルキャストのディジタル放送に気付かずにアナログ放送を見続けてしまう事態を極力防止できる。
【０００９】
前記メッセージが表示されている状態で所定のキーが操作されたときには、サイマルキャストのディジタル放送を受信するように構成されているのがよい。
【００１０】
また、この発明の放送受信装置は、アナログ放送を受信するアナログ放送受信部と、ディジタル放送を受信するディジタル放送受信部と、アナログ放送とディジタル放送が同一番組を放送しているかどうかに関する情報を取得してサイマルキャストの有無を判断する手段と、サイマルキャストのアナログ放送を受信しているときに所定のキーが操作されたときにはサイマルキャストのディジタル放送受信に切り替える手段と、を備えたことを特徴とする。
【００１１】
ユーザがアナログ放送番組を視聴しているときで、「もしもディジタル放送でサイマル放送が行なわれているならディジタル放送を視聴したい」と思うことがあり、このような場合に、前記所定キーを操作するだけで、サイマルキャストのディジタル放送番組があれば、それを受信するように自動的にチャンネルが切り替わることになる。
【００１２】
また、この発明の放送受信装置は、チャンネルＵＰ／ＤＯＷＮキーを備えてチャンネル変更が行なえるように構成された放送受信装置において、アナログ放送を受信するアナログ放送受信部と、ディジタル放送を受信するディジタル放送受信部と、アナログ放送とディジタル放送が同一番組を放送しているかどうかに関する情報を取得してサイマルキャストの有無を判断する手段と、内部時計に基づき現在時刻でサイマルキャストのアナログ放送を行なっているアナログチャンネルについては前記チャンネルＵＰ／ＤＯＷＮキーにおけるリストから消去する手段と、を備えたことを特徴とする。
【００１３】
上記の構成によれば、上記のリスト作成により、ディジタル放送で同一番組が放送されているアナログ放送は前記ＵＰ／ＤＯＷＮキーの操作では選局されないことになる。これにより、ディジタル放送で放送されている同一番組に気付かずにアナログ放送を視聴してしまうのを回避できることになる。
【００１４】
【発明の実施の形態】
以下、この発明の実施形態を図１乃至図４に基づいて説明するが、ここではユーザが地上ディジタル放送を視聴する場合を例示している。図１は地上ディジタル放送及び地上アナログ放送の両方を視聴できるこの実施形態の放送受信装置３０を示したブロック図であり、図２乃至図４はこの実施形態にかかる処理を示したフローチャートである。
【００１５】
図１において、地上波アンテナ１は屋外において所定の方向に向けて配置されており、地上波放送信号を受信する。この地上波アンテナ１は受信した信号をチューナ２Ａ・２Ｂに与える。
【００１６】
アナログチューナ２Ａは、アンテナ１からのＲＦ（高周波信号）を選局し中間周波（ＩＦ）に変換する。このチューナ２Ａは、受信ＲＦ信号を増幅する初段増幅器、外部からの制御電圧によってゲインを可変とするＡＧＣアンプ、電圧制御発振器で発生するローカル周波数と受信ＲＦ信号との差周波数であるＩＦ信号を生成するミキサ、システムコントローラ１３から与えられる選局データにより電圧制御発振器を所定の一定周波数出力状態に制御するＰＬＬ回路、及び中間周波増幅器等を備えてなる。映像／音声中間周波数（ＩＦ）回路３は、各種のトラップ回路を備えてチューナ２Ａから出力される中間周波数の信号のなかから必要な帯域の周波数を高利得で増幅する。検波回路４は、増幅された中間周波数の映像信号を検波してカラーテレビ信号（輝度信号、色信号、同期信号）を取り出すと共に中間周波数の音声信号を検波する。
【００１７】
ＥＰＧデコーダ１８は、復調により得られたコンポジット映像信号の垂直基線期間にディジタルデータとして挿入されているＥＰＧデータ（放送局名、番組名、番組開始／終了時刻等）を取り出し、ＣＰＵ１３に与える。なお、アナログ放送におけるＥＰＧサービスとしては、ＡＤＡＭＳ−ＥＰＧが知られている。
【００１８】
ディジタルチューナ２Ｂは、上述したアナログチューナ２Ａと同様の周波数選択機能を備えると共に、復調回路、逆インタリーブ回路、誤り訂正回路などを備え、選択したディジタル変調信号を復調してトランスポート・ストリームを出力する。
【００１９】
デマルチプレクサ（ＤＥＭＵＸ）５は、前記トランスポート・ストリームを、ＭＰＥＧ２（Ｍｏｖｉｎｇ  Ｐｉｃｔｕｒｅ  Ｅｘｐｅｒｔｓ  Ｇｒｏｕｐ２）のビデオストリーム、オーディオストリーム、及びＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）等に分離する。デマルチプレクサ５は、ビデオストリームとオーディオストリームをディジタル放送信号処理部６に供給し、ＰＳＩ／ＳＩに含まれる番組情報などをＣＰＵ１３に供給する。なお、トランスポート・ストリームには複数のチャンネルが多重化されており、このなかから任意のチャンネルを選択するための処理は、前記ＰＳＩ／ＳＩから任意のチャンネルがトランスポート・ストリーム中でどのパケットＩＤで多重化されているかといったデータを取り出すことで可能となる。また、トランスポート・ストリームの選定もＰＳＩ／ＳＩの情報に基づいて行うことができる。
【００２０】
ディジタル放送信号処理部６は、ビデオストリームに対してデコードを行うビデオデコーダ、及びオーディオストリームに対してデコードを行うオーディオデコーダを備える。ビデオデコーダは、入力された可変長符号を復号して量子化係数や動きベクトルを求め、逆ＤＣＴ変換や動きベクトルに基づく動き補償制御などを行う。オーディオデコーダは、入力された符号化信号を復号して音声データを生成する。デコードにより生成された映像データ／音声データはＤ／Ａ変換されて映像信号／音声信号に変換される。
【００２１】
マルチプレクサ（ＭＵＸ）７は、アナログ放送による映像／音声信号とディジタル放送による映像／音声信号とを入力する。そして、マルチプレクサ７はＣＰＵ１３からの指示によって、いずれかの映像／音声信号を選択して出力する。
【００２２】
出力処理部８は、マルチプレクサ７にて選択出力された映像信号のなかの輝度信号を受像部（ＣＲＴ）１０を駆動するのに必要な大きさに増幅したり、色副搬送波を発生し、これを用いて搬送色信号から色差信号を復調するなどの処理を行い、この処理信号を受像部１０に供給する。また、マルチプレクサ７にて選択出力された音声信号を増幅してスピーカ９に供給する。更に、出力処理部８は、後述するＯＳＤ（オンスクリーンディスプレイ）回路１５から出力されるＯＳＤ信号を受信映像信号に組み込む処理を行う。
【００２３】
ＯＳＤ回路１５は、ＣＰＵ１３から出力指示された文字情報や色情報に基づく映像データを処理し、ＯＳＤ信号として出力処理部８に出力するようになっている。このＯＳＤ回路１５により、ＥＰＧ画面、メニュー画面、メッセージ、各種設定画面などの表示が行えることになる。
【００２４】
リモコン送信機１７は、各種のキーを備えて当該放送受信装置３０に各種指令を送出すものであり、操作されたキーに対応した指令を意味する信号光（リモコン信号）を発光部から送出する。リモコン受光器１６は、前記信号光を受光し、これを電気信号に変換してＣＰＵ１３に与える。この実施形態においては、リモコン送信機１７に設けた「１」乃至「１２」の数字が表記されたキーを割当キー（以下、ワンタッチキーという）とする。そして、ここでは一つの放送事業者が一つのトランスポートストリームで放送を行っている場合を想定し、一つのワンタッチキーには一つの放送事業者を対応させるものとする。また、リモコン送信機１７に設けたＡ／Ｄ（アナログ放送／ディジタル放送）切替キー（図示せず）が操作され、アナログ放送受信モードとされたときには、前記「１」乃至「１２」の数字が表記されたキーはアナログチャンネル選択キーとなり、ディジタル放送受信モードとされたときには、前記「１」乃至「１２」の数字が表記されたキーは前述のごとくワンタッチキーとなる。なお、本体キー１９にも一部ではあるが各種キーが設けられている。
【００２５】
メモリ（例えば、ＲＡＭ、ＥＥＰＲＯＭ、フラッシュメモリ等）１４には、アナログチャンネル情報（周波数情報、ポジションに対応させたチャンネルリストや事業者名などの情報）、ディジタルチャンネル情報（周波数情報、リモコンキーＩＤに対応させたチャンネルリストや事業者名などの情報）、ＥＰＧデータ、各種設定情報などが格納される。
【００２６】
ＣＰＵ１３は、このディジタル放送受信装置３０における全体制御を行うものであるが、特にこの発明にかかる処理として、チャンネルサーチ処理、リモコンキーＩＤの取得処理、ワンタッチキーのアナログ放送／ディジタル放送割当処理、サイマル放送判定処理、受信切替処理、メッセージ出力処理等を行う。
【００２７】
（チャンネルサーチ処理）
例えば、初回電源投入時、ＣＰＵ１３は自動的にディジタルチューナ２Ｂに地上波ディジタル放送が送信されるＵＨＦ帯域の最も低い周波数を選局させて有局判定を行う。有局と判断した場合には、チャンネル情報（周波数情報、局情報、チャンネルリスト（チャンネル群）データ等）を抽出し、メモリ１４に記憶する。この処理を、順次周波数を上げて最も高い周波数まで続ける（例えば、１３ｃｈ乃至６２ｃｈまで）。また、アナログ放送に対しては、地域コードとその地で受信可能とされるチャンネルリストとを対応付けたテーブルをメモリに格納しておき、ユーザによる地域コードの入力によって前記リストを選択する。
【００２８】
（リモコンキーＩＤの取得処理）
上述したディジタル放送のチャンネルサーチに際し、有局の周波数において、トランスポートストリームからＰＳＩを分離し、そのなかのＮＩＴ（Ｎｅｔｗｏｒｋ  Ｉｎｆｏｒｍａｔｉｏｎ  Ｔａｂｌｅ）のリモコンキーＩＤを取得し、上述したチャンネル情報等と対応付けてメモリ１４に記憶する。
【００２９】
（ワンタッチキーの割当処理）
取得したリモコンキーＩＤが示す番号のワンタッチキーに当該放送局を受信するためのチャンネル情報を対応させる。すなわち、Ａ放送局がリモコンキーＩＤとして「１」を付加して送信することにより、受信装置の側ではこの情報を受信してリモコンキーＩＤを取得し、リモコン送信機１７のワンタッチキー「１」にＡ放送局を設定する。以降、ユーザによってリモコン送信機１７のキー「１」が押下されると、Ａ放送局のチャンネルが選局されるようになる。
【００３０】
（ワンタッチキーの操作による選局処理）
前述したＡ／Ｄ切替キーの操作でディジタル放送モードとなっているときに、ユーザによってリモコン送信機１７のワンタッチキー「１」が押下されると、Ａ事業者のチャンネルを選局する処理を行うが、ディジタル放送では各放送局で複数のチャンネルを用意することが可能であることから、前記チャンネルリストのなかの一つのチャンネルを選択する処理を行う。ここで、各放送局は、提供しているチャンネル群のなかで代表的なチャンネルの番号を小さく（若く）する傾向にあると考えられるので、最初に選局するチャンネルをそのチャンネル群のなかの最も小さい番号のチャンネルとするようにしている。この状態でＡ事業者の他のディジタルチャンネルを選局したいのであれば、リモコン送信機１７のチャンネルアップ／ダウンキーを操作すればよい。
【００３１】
一方、前述したＡ／Ｄ切替キーの操作でアナログ放送モードとなっているときに、ユーザによってリモコン送信機１７のワンタッチキー「１」が押下されたときには、アナログ放送のｃｈ１が選局されることになる。
【００３２】
（サイマル放送判定処理）
アナログ放送チャンネルが選局されたとき、現在受信しているアナログ放送番組と同一の番組がディジタル放送で現在時刻において放送されているかどうかを判断する。この判断は、アナログ放送におけるＥＰＧデータに記述されている情報（放送事業者、番組名、開始時間等）と、ディジタル放送におけるＢＩＴ（Ｂｒｏａｄｃａｓｔｅｒ  Ｉｎｆｏｒｍａｔｉｏｎ  Ｔａｂｌｅ）やＥＩＴ（Ｅｖｅｎｔ  Ｉｎｆｏｒｍａｔｉｏｎ  Ｔａｂｌｅ）に記述されている情報（放送事業者、番組名、開始時間等）とを用いることで可能となる。すなわち、これら情報の一致や現在時刻を判断することにより、両放送で同じ番組が同じ時間において放送されているかどうかを判断することができる。
【００３３】
次に、サイマル放送に関して行なう処理について説明していく。図２のフローチャートに示すように、選局指示の有無を判断し（ステップＳ１）、選局指示がなされたときには、選局チャンネルがアナログ放送チャンネルかどうかを判断する（ステップＳ２）。アナログ放送チャンネルでないときには、通常のＯＳＤ表示（チャンネル番号や放送局名の表示）を行なう（ステップＳ３）。一方、選局チャンネルがアナログ放送チャンネルである場合には、現在時刻を確認し（ステップＳ４）、現在時刻のディジタル放送における全てのＥＰＧデータを検索する（ステップＳ５）。そして、選局アナログチャンネルで受信中の番組と同一番組がディジタル放送において存在するかどうかを判断し（ステップＳ６）、存在しなければステップＳ３に進む一方、存在すれば同一番組がディジタル放送によって放送されている旨のメッセージをＯＳＤ表示する（ステップＳ７）。なお、メッセージには、ディジタル放送のチャンネル番号表示を含めたり、或いは「緑ボタンの操作でディジタル放送に切り替わります」といった説明を含める。そして、５秒後にはＯＳＤ表示を消去する処理を行なう（ステップＳ８）。
【００３４】
例えば、上記の処理によってＯＳＤ表示がなされている状態で、ユーザが例えばリモコン送信機１７に設けられた緑ボタンを操作すると、同一番組のディジタル放送を視聴するための選局処理がＣＰＵ１３によって指示され、また、ＣＰＵ１３によってマルチプレクサ７に対してディジタル放送受信映像を出力するように指示される。これにより、画面には同一番組のディジタル放送の受信画面が表示されることになる。なお、メッセージにディジタル放送のチャンネル番号を含めている場合には、Ａ／Ｄ切替キーの操作でディジタル放送モードに切り替えた後、前記番号に対応するワンタッチキーを操作することでもディジタル放送の同一番組を視聴できることになる。
【００３５】
図３のフローチャートにはサイマル放送に関して行なう他の処理例を示している。ここで、リモコン送信機１７には、所定キー（ここでは、ディジタルキーという名称としている）が設けられているものとする。ユーザは、「もしもディジタル放送でサイマル放送が行なわれているならディジタル放送を視聴したい」と思うとき前記ディジタルキーを押下することになる。ＣＰＵ１３は前記ディジタルキーが操作されたかどうかを判断し（ステップＳ１１）、操作された場合にはアナログ放送の受信状態かどうかを判断する（ステップＳ１２）。アナログ放送である場合には、現在時刻を確認し（ステップＳ１３）、現在時刻のディジタル放送における全てのＥＰＧデータを検索する（ステップＳ１４）。そして、選局アナログチャンネルで受信中の番組と同一番組がディジタル放送において存在するかどうかを判断し（ステップＳ１５）、存在すればディジタル放送における同一番組を受信するための処理を実行する（ステップＳ１６）。一方、ステップＳ１１でＮＯ、ステップＳ１２でＮＯ（ディジタル放送受信状態やスタンバイ状態であるとき）、ステップＳ１５でＮＯ（サイマル放送なし）である場合には、ステップＳ１１に進む。
【００３６】
図４のフローチャートにはサイマル放送に関して行なう他の処理例を示している。ここで、リモコン送信機１７のチャンネルＵＰ／ＤＯＷＮキーが操作された場合、例えば、ＵＰの場合、「３」のワンタッチキーにおける複数のディジタルチャンネルの順次選択→３ｃｈのアナログ放送→「４」のワンタッチキーにおける複数のディジタルチャンネルの順次選択→４ｃｈのアナログ放送のごとく、ディジタル放送の各チャンネルとアナログ放送とが交互的に選局されていく方法もあれば、全てのディジタルチャンネルの順次選択の後にアナログチャンネルの順次選択を行い、全てのアナログチャンネルの順次選択の後にディジタルチャンネルの順次選択を行うといった方法もある。通常設定では、上記のごとく選局が実行されるが、特殊設定として、ディジタル放送で同一番組が放送されているアナログ放送を前記ＵＰ／ＤＯＷＮキーの操作では選局させない設定とすることができる。図４のフローチャートにおいて、プログラム動作中において現在時刻を確認し（ステップＳ２１）、現在時刻のアナログ放送及びディジタル放送における全てのＥＰＧデータを検索する（ステップＳ１４）。そして、確認対象であるアナログチャンネルの放送番組と同一番組がディジタル放送において存在するかどうかを判断し（ステップＳ２３）、存在しなければ当該確認対象であるアナログチャンネルをアップダウンリストに追加し（ステップＳ２４）、存在する場合には当該確認対象であるアナログチャンネルをアップダウンリストから削除する（ステップＳ２５）。そして、全チャンネルについてチェックが終了したかどうかを判断し、未チェックのチャンネルが存在すればステップＳ２３に進み、全チャンネルについてチェックが終了した場合にはステップＳ２１に進む。このようなアップダウンリスト作成により、ディジタル放送で同一番組が放送されているアナログ放送は前記ＵＰ／ＤＯＷＮキーの操作では選局されないことになる。これにより、ディジタル放送で放送されている同一番組に気付かずにアナログ放送を視聴してしまうのを回避できることになる。
【００３７】
なお、上記の例では、一つの放送事業者が一つのトランスポートストリームで放送を行っている場合を想定し、一つのワンタッチキーには一つの放送事業者を対応させることとしたが、一つの放送事業者（放送局）が複数のトランスポートストリームを使って放送を行っている場合、或いは、逆に一つのトランスポートストリーム中に複数の放送事業者（放送局）が存在する場合を考慮すると、必ずしもワンタッチキーで放送事業者を選ぶということに限定されず、一つ或いは二以上のトランスポートストリーム内のチャンネル群を一つのグループとするようにしてもよい。すなわち、ワンタッチキーをどのようなグループ単位で設定するかは、放送がどのような形態で行われているかに対応して任意に決めることとすればよい。
【００３８】
また、ディジタル放送における全てのＥＰＧデータを検索することとしたが、選局アナログチャンネルに対応する放送事業者のディジタル放送のＥＰＧデータだけを検索することとしてもよいものである。
【００３９】
【発明の効果】
以上説明したように、この発明によれば、アナログ放送とディジタル放送がサイマルキャストで同一番組を放送している場合において、ユーザには極力ディジタル放送番組の視聴を促すことができ、また、ディジタル放送で放送されている同一番組に気付かずにアナログ放送を視聴してしまうのを回避できる等の諸効果を奏する。
【図面の簡単な説明】
【図１】この発明の実施形態の放送受信装置を示したブロック図である。
【図２】サイマル放送に関して行なう処理内容を示したフローチャートである。
【図３】サイマル放送に関して行なう処理内容を示したフローチャートである。
【図４】サイマル放送に関して行なう処理内容を示したフローチャートである。
【符号の説明】
１    アンテナ
２Ａ  アナログチューナ
２Ｂ  ディジタルチューナ
５    デマルチプレクサ（ＤＥＭＵＸ）
１３  ＣＰＵ
１４  メモリ
１５  ＯＳＤ回路
１７  リモコン送信機
【図１】
2004179718.tif 000003
【図２】
2004179718.tif 000004
【図３】
2004179718.tif 000005
【図４】
2004179718.tif 000006